(57)【要約】【課題】  無線通信システムにおけるネットワークのためのランダムアクセス応答を処理する方法が開示される。【解決手段】  前記方法は、前記無線通信システムの第１の移動体装置から、複数の搬送波成分のうちの第１の搬送波成分で、第１のランダムアクセス・プリアンブルを受信するステップ、前記無線通信システムの第２の移動体装置から、前記複数の搬送波成分のうちの第２の搬送波成分で、第２のランダムアクセス・プリアンブルを受信するステップであって、前記第２のランダムアクセス・プリアンブルは、前記第１のランダムアクセス・プリアンブルと同じであり、前記ネットワークにより割り当てられる、ステップ、前記第１の搬送波成分で、前記第２の移動体装置と関連付けられたタイミングアドバンスコマンドを含むランダムアクセス応答により、前記割り当てられた第２のランダムアクセス・プリアンブルに応答するステップ、を有する。【選択図】  図８
2013027045.tif 000002
【特許請求の範囲】
【請求項１】
無線通信システムにおけるネットワークのためのランダムアクセス応答を処理する方法であって、前記方法は、
前記無線通信システムの第１の移動体装置から、複数の搬送波成分のうちの第１の搬送波成分で、第１のランダムアクセス・プリアンブルを受信するステップ、
前記無線通信システムの第２の移動体装置から、前記複数の搬送波成分のうちの第２の搬送波成分で、第２のランダムアクセス・プリアンブルを受信するステップであって、前記第２のランダムアクセス・プリアンブルは、前記第１のランダムアクセス・プリアンブルと同じであり、前記ネットワークにより割り当てられる、ステップ、
前記第１の搬送波成分で、前記第２の移動体装置と関連付けられたタイミングアドバンスコマンドを含むランダムアクセス応答により、前記割り当てられた第２のランダムアクセス・プリアンブルに応答するステップ、
を有する方法。
【請求項２】
前記第１の移動体装置からの前記第１の搬送波成分の前記第１のランダムアクセス・プリアンブルを無視するステップ、
を更に有する請求項１に記載の方法。
【請求項３】
無線通信システムにおけるネットワークのためのランダムアクセス応答を処理する方法であって、前記方法は、
複数の搬送波成分のうちの第１の搬送波成分で、第１の移動体装置のために第１のランダムアクセス・プリアンブルを割り当てるステップ、
第２の移動体装置から、第２の搬送波成分で、第２のランダムアクセス・プリアンブルを受信するステップであって、前記第２のランダムアクセス・プリアンブルは、前記第１のランダムアクセス・プリアンブルと同じである、ステップ、
前記第１の移動体装置から、前記第１の搬送波成分で、ある時間期間中に、割り当てられた第１のランダムアクセス応答を受信しないステップ、
前記第１のランダムアクセス・プリアンブル及び前記第２のランダムアクセス・プリアンブルに対するランダムアクセス応答を応答しないステップ、
を有する方法。
【請求項４】
無線通信システムにおける移動体装置のためのランダムアクセス応答を処理する方法であって、前記方法は、
前記無線通信システムのネットワークにより複数の搬送波成分のうちの１つでランダムアクセス・プリアンブルを割り当てられるステップ、
前記ランダムアクセス・プリアンブルを前記ネットワークに送信するステップ、
T-CRNTI（temporary  cell  radio  network  temporary  identifier）を含み前記ランダムアクセス・プリアンブルに対応するランダムアクセス応答を、前記ネットワークから受信するステップ、
タイミングアドバンスコマンドを含む前記ランダムアクセス応答が前記移動体装置のためのものか否かを前記ランダムアクセス応答内の前記T-CRNTIに従って決定するステップ、
を有する方法。
【請求項５】
前記タイミングアドバンスコマンドを含む前記ランダムアクセス応答が前記移動体装置のためのものか否かを前記ランダムアクセス応答内の前記T-CRNTIに従って決定するステップは、
前記T-CRNTIが前記移動体装置のC-RNTIに等しいとき、前記ランダムアクセス応答は前記移動体装置のためのものであると決定するステップ、
アップリンクの同期のために、前記ランダムアクセス応答に含まれるタイミングアドバンスコマンドを適用するステップ、
を有する、請求項４に記載の方法。
【請求項６】
前記タイミングアドバンスコマンドを含む前記ランダムアクセス応答が前記移動体装置のためのものか否かを前記ランダムアクセス応答内の前記T-CRNTIに従って決定するステップは、
前記T-CRNTIが前記移動体装置のC-RNTIに等しくないとき、前記ランダムアクセス応答は前記移動体装置のためのものではないと決定するステップ、
アップリンクの同期のために、前記ランダムアクセス応答に含まれるタイミングアドバンスコマンドを適用しないステップ、
を有する、請求項４に記載の方法。
【請求項７】
無線通信システムにおける移動体装置のためのランダムアクセス応答を処理する方法であって、前記方法は、
コンテンションベースのランダムアクセス手順の第１のランダムアクセス・プリアンブルを、前記無線通信システムのネットワークへ送信するステップ、
インジケータを含むランダムアクセス応答を前記ネットワークから受信するステップ、
前記の受信したランダムアクセス応答が前記コンテンションベースのランダムアクセス手順のためのものか否かを、前記ランダムアクセス応答内の前記インジケータに従って決定するステップ、
を有する方法。
【請求項８】
前記の受信したランダムアクセス応答が前記コンテンションベースのランダムアクセス手順のためのものか否かを、前記ランダムアクセス応答内の前記インジケータに従って決定するステップは、
前記インジケータが所定値に設定されているとき、前記ランダムアクセス応答は前記コンテンションベースのランダムアクセス手順のためのものではないと決定するステップ、
を有する、請求項７に記載の方法。
【請求項９】
前記ランダムアクセス応答が前記コンテンションベースのランダムアクセス手順のためのものではないと決定したとき、前記コンテンションベースのランダムアクセス手順のコンテンション解決を中断するステップ、
を更に有する請求項８に記載の方法。
【請求項１０】
前記コンテンションベースのランダムアクセス手順の第２のランダムアクセス・プリアンブルを、前記無線通信システムの前記ネットワークへ送信するステップ、
を更に有する請求項８に記載の方法。
【請求項１１】
無線通信システムにおける移動体装置のためのランダムアクセス応答を処理する方法であって、前記方法は、
コンテンションベースのランダムアクセス手順の第１のランダムアクセス・プリアンブルを、前記無線通信システムのネットワークへ送信するステップ、
アップリンクグラントを含むランダムアクセス応答を前記ネットワークから受信するステップ、
前記の受信したランダムアクセス応答が前記コンテンションベースのランダムアクセス手順のためのものか否かを、前記ランダムアクセス応答内の前記アップリンクグラントのサイズに従って決定するステップ、
を有する方法。
【請求項１２】
前記の受信したランダムアクセス応答が前記コンテンションベースのランダムアクセス手順のためのものか否かを、前記ランダムアクセス応答内の前記アップリンクグラントのサイズに従って決定するステップは、
前記アップリンクグラントのサイズが閾より小さいとき、前記ランダムアクセス応答は前記コンテンションベースのランダムアクセス手順のためのものではないと決定するステップ、
を有する、請求項１１に記載の方法。
【請求項１３】
前記ランダムアクセス応答が前記コンテンションベースのランダムアクセス手順のためのものではないと決定したとき、前記コンテンションベースのランダムアクセス手順のコンテンション解決を中断するステップ、
を更に有する請求項１２に記載の方法。
【請求項１４】
前記コンテンションベースのランダムアクセス手順の第２のランダムアクセス・プリアンブルを、前記無線通信システムの前記ネットワークへ送信するステップ、
を更に有する請求項１２に記載の方法。
【請求項１５】
前記閾は、前記コンテンションベースのランダムアクセス手順のメッセージ３のサイズに従って決定される、請求項１２に記載の方法。
【請求項１６】
無線通信システムにおける移動体装置のためのランダムアクセス応答を処理する方法であって、前記方法は、
コンテンションベースのランダムアクセス手順の第１のランダムアクセス・プリアンブルを、前記無線通信システムのネットワークへ送信するステップ、
T-CRNTI（temporary  cell  radio  network  temporary  identifier）を含むランダムアクセス応答を前記ネットワークから受信するステップ、
前記の受信したランダムアクセス応答が前記コンテンションベースのランダムアクセス手順のためのものか否かを、前記T-CRNTIの有効性に従って決定するステップ、
を有する方法。
【請求項１７】
前記の受信したランダムアクセス応答が前記コンテンションベースのランダムアクセス手順のためのものか否かを、前記T-CRNTIの有効性に従って決定するステップは、
前記T-CRNTIが無効であるか又は所定値に設定されているとき、前記ランダムアクセス応答は前記コンテンションベースのランダムアクセス手順のためのものではないと決定するステップ、
を有する、請求項１６に記載の方法。
【請求項１８】
前記ランダムアクセス応答が前記コンテンションベースのランダムアクセス手順のためのものではないと決定したとき、前記コンテンションベースのランダムアクセス手順のコンテンション解決を中断するステップ、
を更に有する請求項１７に記載の方法。
【請求項１９】
前記コンテンションベースのランダムアクセス手順の第２のランダムアクセス・プリアンブルを、前記無線通信システムの前記ネットワークへ送信するステップ、
を更に有する請求項１７に記載の方法。
【発明の詳細な説明】
【技術分野】
【０００１】
本願は、無線通信システムで用いられる方法に関し、より詳細には、無線通信システムにおけるランダムアクセス応答を処理する方法に関する。
【背景技術】
【０００２】
３GPP（third  generation  partnership  project）により創始されたLTE（long-term  evolution）システムは、今や、高いデータ・レート、短い待ち時間、パケットの最適化並びにシステム容量及びカバレッジの向上を提供する新しい無線インタフェース及び無線ネットワーク・アーキテクチャと目されている。LTEシステムでは、E-UTRAN（evolved  universal  terrestrial  radio  access  network）は、複数のｅＮＢ（evolved  Node-B）を含み、ユーザ機器（UE）とも称される複数の移動局と通信する。
【０００３】
LTEシステムの構造によると、UEは、UEから送信される信号が基地局のカバレッジ下にある他のUEから送信された信号と衝突するのを防ぐために、ランダムアクセス手順を実行して、アップリンクのタイミングにおいてUEをサービング基地局と同期化させるタイミングアドバンスコマンド（timing  advance  command）を得る。さらに、タイミングアドバンスコマンドは、ランダムアクセス手順のランダムアクセス応答メッセージを通じて送信される。留意すべき点は、ランダムアクセス手順が非コンテンションベースのランダムアクセス手順とコンテンションベースのランダムアクセス手順とを有することである。これらは、この技術分野において良く知られているので、ここでは記載されない。詳細には、ネットワークは、媒体アクセス制御プロトコル・データユニット（MAC  PDU）を用いて、タイミングアドバンスコマンドをUEへ送信する。MAC  PDUは、MACヘッダ、１又は複数のMACランダムアクセス応答（MAC  Random  Access  Response：MAC  RAR）及び任意のパディングを有する。MAC  PDUヘッダは、１又は複数のMAC  PDUサブヘッダを有し、各サブヘッダはMAC  RARに対応する。さらに、MAC  PDUサブヘッダは、３つのヘッダ・フィールドE／T／RAPIDを有する。ここで、送信されるランダムアクセス・プリアンブルを特定するRAPIDはランダムアクセス・プリアンブル識別子を表す。UEは、RAPIDに基づき対応するMAC  RARをデコードする。MAC  RARは、４つのフィールドR／Timing  Advance  Command／UL  Grant／Temporary  C-RNTIを有する。ここで、Ｒは予約されたビットを表し、Timing  Advance  CommandはUEが適用するタイミング調整の量を制御するために用いられるインデックス値を示し、UL  Grantはアップリンクで用いられるべきリソースを示し、Temporary  C-RNTIはランダムアクセス手順に基づくコンテンション中にUEにより用いられる一時的なアイデンティティを示す。さらに、MAC  PDUの割り当ては、RA-RNTIに基づく。RA-RNTIは、UE及びネットワークにより、送信されたランダムアクセス・プリアンブルのタイミング及びRB割り当てに基づき計算される。
【０００４】
より高いピーク・データ・レートでデータを送信するような高度な高速無線通信システムのために、LTE-Advancedシステムは、３GPP（３rd  Generation  Partnership  Project）によりLTEシステムの拡張として標準化されている。LTE-Advancedシステムは、電力状態間のより速い切替を目標とし、セル端における性能を向上し、そして帯域拡張、COMP（coordinated  multipoint  transmission/reception）、アップリンクのMIMO（multiple  input  multiple  output）等のようなテーマを含んでいる。
【０００５】
帯域拡張に関しては、より広い帯域に拡張するために、キャリア・アグリゲーションがLTE-Advancedシステムに導入された。キャリア・アグリゲーションでは、より広い送信帯域幅（例えば、最大１００MHz）に対応するため及びスペクトル・アグリゲーションのために、２以上の搬送波成分が束ねられる。キャリア・アグリゲーション機能により、複数の搬送波成分が全体としてより広い帯域幅に束ねられるので、UEは、同時に受信及び／又は送信するために複数の搬送波成分に対応する複数のリンクを確立できる。キャリア・アグリゲーションでは、UEはネットワークとのRRCコネクションを１つだけ有する。RRCコネクションの確立／復旧／ハンドオーバでは、１つのサービング・セルが、NASモビリティ情報及びセキュリティ入力を提供する。このセルは、プライマリ・セル（PCell）と称される。PCellに対応する搬送波成分は、ダウンリンクではDL  PCC（Downlink  Primary  Component  Carrier）であり、アップリンクではUL  PCC（Uplink  Primary  Component  Carrier）である。また、PCell以外のセルは、セカンダリ・セル（SCell）と称される。
【０００６】
さらに、LTE-Advancedシステムでは、搬送波成分の制御シグナリング（つまり、PDCCHアサインメント）は、異なる搬送波成分で送信される。これは、以下ではクロスキャリア・スケジューリングと表される。例えば、非コンテンション・ランダムアクセス手順のランダムアクセス・プリアンブルのアサインメントのためのPDCCH命令がある搬送波成分で与えられ、非コンテンション・ランダムアクセス手順のランダムアクセス・プリアンブルは別の搬送波成分で送信される。
【０００７】
出願人は、クロスキャリア・スケジューリングにおけるランダムアクセス手順のランダムアクセス応答に関連するプリアンブルに注目する。図１を参照する。図１はランダムアクセス応答の衝突の概略図である。図１では、ネットワークは、ランダムアクセス・プリアンブルをそれぞれUE１及びUE２に搬送波成分cc#１を通じて割り当てる。UE１は、搬送波成分cc#１を介してランダムアクセス・プリアンブルをネットワークに送信する。また、UE２は、搬送波成分cc#２を介してランダムアクセス・プリアンブルをネットワークに送信する。言い換えると、ネットワークは、クロスキャリア・スケジューリングにより、ランダムアクセス・プリアンブルをUE２に割り当てる。しかしながら、ネットワークは、同一のランダムアクセス・プリアンブルをUE１及びUE２に同時に割り当ててもよい。この状況では、ネットワークは、２つのランダムアクセス・プリアンブルに、搬送波成分cc#１の１つのランダムアクセス応答のみで応答する。なぜなら、受信したランダムアクセス・プリアンブルは、同じRAPIDに対応するからである。これにより、ランダムアクセス応答の衝突が引き起こされる。しかしながら、UE１及びUE２は、ランダムアクセス応答が自身のためなのか否かが分からない。そして、両者は、アップリンクのタイミング調整のためにランダムアクセス応答内のタイミングアドバンスコマンドを適用する。これは、タイミングアドバンスコマンドがUE１又はUE２に対してのみ的確なので、搬送波成分cc#１又は搬送波成分cc#２で干渉を引き起こし得る。
【０００８】
ランダムアクセス応答の衝突を回避するために、ネットワークは、同一のランダムアクセス・プリアンブルを各搬送波成分に同時に割り当てるのを回避し得る。しかしながら、これは、ランダムアクセス・プリアンブルの構成を限定し、全ての搬送波成分に対するランダムアクセス・プリアンブルのアサインメントの柔軟性を制限してしまう。
【０００９】
さらに、ネットワークは、搬送波成分cc#１で、クロスキャリア・スケジューリングにより、ランダムアクセス・プリアンブルをUE２に割り当てる。UE２は、搬送波成分cc#２を介して、割り当てられたランダムアクセス・プリアンブルをネットワークに送信する。他方で、UE１は、ランダムアクセス・プリアンブルをランダムに選択し、搬送波成分cc#１を介してランダムアクセス・プリアンブルをネットワークに送信する。しかしながら、ランダムに選択されたランダムアクセス・プリアンブルは、割り当てられたランダムアクセス・プリアンブルと同一かも知れない。ネットワークは、２つのランダムアクセス・プリアンブルに、搬送波成分cc#１の１つのランダムアクセス応答のみで応答する。なぜなら、受信したランダムアクセス・プリアンブルは、同じRAPIDに対応するからである。これにより、ランダムアクセス応答の衝突が引き起こされる。同様に、UE１及びUE２は、ランダムアクセス応答が自身のためなのか否かが分からない。そして、両者は、アップリンクのタイミング調整のために、ランダムアクセス応答内のタイミングアドバンスコマンドを適用する。これは、タイミングアドバンスコマンドがUE１又はUE２に対してのみ的確なので、搬送波成分cc#１又は搬送波成分cc#２で干渉を引き起こし得る。
【００１０】
さらに、上述の仕様により、UEは以下に記載されるようなリソースの浪費を引き起こすシナリオに直面する。
【００１１】
第１のシナリオでは、図２を参照する。図２は、従来の第１の実施形態によるクロスキャリア・スケジューリングにおけるランダムアクセス応答の衝突の概略図を示す。ネットワークは、PCellのPDCCH命令でSCellのためにプリアンブル・コードを割り当てる（つまり、クロスキャリア・スケジューリング）。したがって、UEは、アップリンクのタイミング同期のために、SCellに対して非コンテンションベースのランダムアクセス手順を実行する。一方では、別のUEが、アップリンクのタイミング同期のために、PCellに対してコンテンションベースのランダムアクセス手順を実行する。コンテンションベースのランダムアクセス手順を実行しているUEは、SCellのために割り当てられたプリアンブル・コードと同一のプリアンブル・コードを選択する。ネットワークが両方のランダムアクセス・プリアンブルをPCell及びSCellから受信すると、ネットワークは、２つのランダムアクセス・プリアンブルが同一であり同一のRAPIDに対応するので、２つのランダムアクセス・プリアンブルに１つのランダムアクセス応答のみで応答する。タイミングアドバンスコマンドを含むランダムアクセス応答がSCellに対して非コンテンションベースのランダムアクセス手順を実行しているUEのためのものであるとすると、２つのUEはランダムアクセス応答内のタイミングアドバンスコマンドを適用する。この状況では、非コンテンションベースのランダムアクセス手順の実行は成功し、SCellでのアップリンク送信には影響しない。しかしながら、タイミングアドバンスコマンドは非コンテンションベースのランダムアクセス手順のためのものなので、コンテンションベースのランダムアクセス手順の実行に成功しないかも知れない。例えば、コンテンションベースのランダムアクセス手順のメッセージ３は、コンテンションベースのランダムアクセス手順を実行しているUEにとってランダムアクセス応答内のタイミングアドバンスコマンドが不正確なために干渉（つまり、衝突）に直面し得る。したがって、ネットワークは、PCellのUEにHARQ  NACKを返す。コンテンションベースのランダムアクセス手順を実行しているUEは、受信したHARQ  NACKの数が特定数に達するまで、引き続き、メッセージ３をネットワークに送信し、そしてPCellの新しいランダムアクセス・プリアンブルを送信する。理解されるように、アップリンクの同期動作は、メッセージ３の再送のために遅延し、リソースはコンテンションベースのランダムアクセス手順のコンテンション解決のために浪費される。
【００１２】
第２のシナリオでは、図３を参照する。図３は、従来の第２の実施形態によるクロスキャリア・スケジューリングにおけるランダムアクセス応答の衝突の概略図を示す。第１のシナリオと異なり、SCellの非コンテンションベースのランダムアクセス・プリアンブルのみがネットワークにより受信される。言い換えると、PCellのコンテンションベースのランダムアクセス・プリアンブルは、送信されるが、ネットワークにより受信されない。しかしながら、コンテンションベースのランダムアクセス手順を実行しているUEは、PCellにおけるランダムアクセス応答の受信及びデコーディングによりネットワークにより受信されると、コンテンションベースのプリアンブルを検討し、それによりコンテンションベースのランダムアクセス手順のコンテンション解決を実行する。したがって、干渉及びリソースの浪費が、コンテンションベースのランダムアクセス手順中に生じている。詳しい説明は、以上から分かるので、ここでは省略する。
【００１３】
第３のシナリオでは、図４を参照する。図４は、従来の第３の実施形態によるクロスキャリア・スケジューリングにおけるランダムアクセス応答の衝突の概略図を示す。第１のシナリオと異なり、PCellのコンテンションベースのプリアンブルのみがネットワークにより受信される。言い換えると、SCellの非コンテンションベースのプリアンブルは、送信されるが、ネットワークにより受信されない。従来技術によると、ネットワークは、コンテンションベースのプリアンブルにPCellにおけるランダムアクセス応答で応答する。しかしながら、非コンテンションベースのランダムアクセス手順を実行しているUEは、ランダムアクセス応答RARが非コンテンションベースのプリアンブルのためのものであると見なすので、ランダムアクセス応答の混乱を引き起こす。さらに、UEは、非コンテンションベースのランダムアクセス手順が成功したと判断し、ランダムアクセス応答内のタイミングアドバンスコマンドを適用する。したがって、干渉及びリソースの浪費が、SCellに対するコンテンションベースのランダムアクセス手順中に生じている。詳しい説明は、以上から分かるので、ここでは省略する。
【発明の概要】
【課題を解決するための手段】
【００１４】
以上に鑑み、本願は、上述の問題を解決するために、無線通信システムにおけるランダムアクセス応答を処理する方法を提供することを目的とする。
【００１５】
これは、請求項１、３、４、７、１１及び１６に記載のランダムアクセス応答を処理する方法により達成される。従属請求項は、対応する更なる発展及び改良に関する。
【００１６】
以下の詳細な説明から一層明らかに分かるように、無線通信システムにおいてネットワークのランダムアクセス応答を処理する方法であって、請求される前記方法は、前記無線通信システムの第１の移動体装置から、複数の搬送波成分のうちの第１の搬送波成分で、第１のランダムアクセス・プリアンブルを受信するステップ、前記無線通信システムの第２の移動体装置から、前記複数の搬送波成分のうちの第２の搬送波成分で、第２のランダムアクセス・プリアンブルを受信するステップであって、前記第２のランダムアクセス・プリアンブルは、前記第１のランダムアクセス・プリアンブルと同じであり、前記ネットワークにより割り当てられる、ステップ、前記第１の搬送波成分で、前記第２の移動体装置と関連付けられたタイミングアドバンスコマンドを含むランダムアクセス応答により、前記割り当てられた第２のランダムアクセス・プリアンブルに応答するステップ、を有する。
【図面の簡単な説明】
【００１７】
【図１】従来技術によるランダムアクセス応答の衝突の概略図である。
【図２】従来技術によるコンテンションベースのランダムアクセス手順及び非コンテンションベースのランダムアクセス手順における、ランダムアクセス応答の衝突の概略図である。
【図３】従来技術によるコンテンションベースのランダムアクセス手順及び非コンテンションベースのランダムアクセス手順における、ランダムアクセス応答の衝突の概略図である。
【図４】従来技術によるコンテンションベースのランダムアクセス手順及び非コンテンションベースのランダムアクセス手順における、ランダムアクセス応答の衝突の概略図である。
【図５】例示的な無線通信システムの概略図である。
【図６】例示的な通信装置の概略図である。
【図７】例示的な通信システムの通信プロトコル・レイヤの概略図である。
【図８】例示的な処理のフローチャートである。
【図９】例示的な処理のフローチャートである。
【図１０】例示的な処理のフローチャートである。
【図１１】本発明の実施形態による非コンテンションベースのランダムアクセス手順の概略ブロック図を示す。
【図１２】例示的な処理のフローチャートである。
【図１３】本発明の実施形態による、クロスキャリア・スケジューリングによる非コンテンションベースのランダムアクセス手順、及びコンテンションベースのランダムアクセス手順の概略ブロック図を示す。
【図１４】本発明の実施形態による、クロスキャリア・スケジューリングによる非コンテンションベースのランダムアクセス手順、及びコンテンションベースのランダムアクセス手順の概略ブロック図を示す。
【図１５】例示的な処理のフローチャートである。
【図１６】例示的な処理のフローチャートである。
【発明を実施するための形態】
【００１８】
図５を参照する。図５は無線通信システム１０の概略図である。無線通信システム１０は、LTE-A（Long-Term  Evolution  advanced）システム又は他の移動通信システムであり、簡単に言うとネットワーク及び複数のユーザ機器（UE）を有する。図５では、ネットワーク及びUEは、単に無線通信システム１０の構造を説明するために用いられる。実際には、ネットワークは、複数のeNB（evolved  base  station）を有するE-UTRAN（evolved  universal  terrestrial  radio  access  network）であってもよい。UEは、携帯電話機のような装置、コンピュータ・システム等であってもよい。さらに、ネットワーク及びUEは、伝送方向によって送信機又は受信機と見なされてもよい。例えばアップリンク（UL）では、UEは送信機でありネットワークは受信機である。またダウンリンク（DL）では、ネットワークが送信機でありUEが受信機である。
【００１９】
図６は、例示的な通信装置２０の概略図である。通信装置２０は、図４に示された移動体装置１０又は基地局BS１-BSnであってもよいが、これらに限定されない。通信装置２０は、マイクロプロセッサ又は特定用途向け集積回路（ＡＳＩＣ）のような処理手段２００、記憶ユニット２１０及び通信インタフェース・ユニット２２０を有してもよい。記憶ユニット２１０は、処理手段２００によるアクセスのためにプログラム・コード２１４を格納できるデータ記憶装置であってもよい。記憶ユニット２１０の例は、限定ではなく、加入者識別モジュール（ＳＩＭ）、読み出し専用メモリ（ＲＯＭ）、フラッシュ・メモリ、ランダム・アクセス・メモリ（ＲＡＭ）、ＣＤ−ＲＯＭ、磁気テープ、ハード・ディスク、及び光学データ記憶装置を含む。通信インタフェース・ユニット２２０は、望ましくは無線通信機であり、処理手段２００の処理結果に従いネットワークと無線信号を交換できる。
【００２０】
図７を参照する。図７はLTE-Advancedシステムの通信プロトコル・レイヤの概略図である。幾つかのプロトコル・レイヤの動作は、プログラム・コード２１４で定められ、処理手段２００により実行されてもよい。プロトコル・レイヤは、上から下へ、無線リソース制御（radio  resource  control：RRC）層３００，パケット・データ・コンバージェンス・プロトコル（packet  data  convergence  protocol：PDCP）レイヤ３１０、無線リンク制御（radio  link  control：RLC）層３２０、媒体アクセス制御（medium  access  control：MAC）層３３０及び物理（PHY）層３４０である。MAC層３３０の主なサービス及び機能は、HARQを通じた誤り訂正、ランダムアクセス手順を通じたアップリンクの同期等を含む。
【００２１】
クロスキャリア・スケジューリングにおけるランダムアクセス応答の衝突により引き起こされる干渉及びリソースの浪費を回避するために、本発明は、MAC  PDUフォーマット及び／又はランダムアクセス・プリアンブルの構成を変更することなく、上述の問題を解決する方法を提供する。
【００２２】
図８を参照する。図８は、例示的な処理８０のフローチャートを示す。処理８０は、図５の基地局のようなネットワークで、ランダムアクセス応答を処理するために用いられる。処理８０は、プログラム・コード２１４にコンパイルでき、以下の段階を有する。
ステップ８００：開始
ステップ８１０：第１のランダムアクセス・プリアンブルを、第１のUEから、複数の搬送波成分のうちの第１の搬送波成分で受信する。
ステップ８２０：第２のランダムアクセス・プリアンブルを、第２のUEから、複数の搬送波成分のうちの第２の搬送波成分で受信する。第２のランダムアクセス・プリアンブルは、第１のランダムアクセス・プリアンブルと同一であり、ネットワークにより割り当てられる。
ステップ８３０：割り当てられた第２のランダムアクセス・プリアンブルに、第１の搬送波成分において、第２のUEと関連付けられたタイミングアドバンスコマンドを含むランダムアクセス応答で応答する。
ステップ８４０：終了
処理８０によると、ネットワークは、受信したランダムアクセス・プリアンブルのうちのどれが非コンテンションベースのランダムアクセス手順に用いられるかを特定し（つまり、受信したランダムアクセス・プリアンブルが自身により割り当てられたか否かを調べることによる）、ランダムアクセス応答を送信して、第１の搬送波成分で非コンテンションベースのプリアンブルに応答する。簡単に言うと、ネットワークは、非コンテンションベースのランダムアクセス手順がコンテンションベースのランダムアクセス手順よりも高い優先度を有すると決定し、それにより、ネットワークが同一のランダムアクセス・プリアンブルを同時に受信したとき、コンテンションベースのランダムアクセス手順のランダムに選択されたランダムアクセス・プリアンブルを無視する。
【００２３】
処理８０に基づく例を検討する。ネットワークは、PCellのPDCCH命令でSCellのためにプリアンブル・コードを割り当てる（つまり、クロスキャリア・スケジューリング）。したがって、UEは、アップリンクのタイミング同期のために、SCellに対して非コンテンションベースのランダムアクセス手順を実行する。一方では、別のUEが、アップリンクのタイミング同期のために、PCellに対してコンテンションベースのランダムアクセス手順を実行する。コンテンションベースのランダムアクセス手順を実行しているUEは、SCellのために割り当てられたプリアンブル・コードと同一のプリアンブル・コードを選択する。ネットワークが両方のランダムアクセス・プリアンブルをPCell及びSCellから受信すると、ネットワークは、非コンテンションベースのプリアンブルにランダムアクセス応答で応答し、コンテンションベースのプリアンブルを無視する。処理８０の概念に基づくと、ネットワークは、非コンテンションベースのプリアンブルとコンテンションベースのプリアンブルとが同一であり、それらが同時に受信された場合に、ランダムアクセス応答をどのように処理するかを知っている。
【００２４】
図９を参照する。図９は、例示的な処理９０のフローチャートを示す。処理９０は、図５の基地局のようなネットワークで、ランダムアクセス応答を処理するために用いられる。処理９０は、プログラム・コード２１４にコンパイルでき、以下の段階を有する。
ステップ９００：開始
ステップ９１０：第１のランダムアクセス・プリアンブルを、第１のUEのために、複数の搬送波成分のうちの第１の搬送波成分において割り当てる。
ステップ９２０：第２のランダムアクセス・プリアンブルを、第２のUEから、第２の搬送波成分で受信する。第２のランダムアクセス・プリアンブルは、第１のランダムアクセス・プリアンブルと同一である。
ステップ９３０：ある時間期間中、第１のランダムアクセス・プリアンブルを、第１のUEから、第１の搬送波成分で受信しない。
ステップ９４０：第１及び第２のランダムアクセス・プリアンブルに、ランダムアクセス応答で応答しない。
ステップ９５０：終了
処理９０によると、ネットワークは、非コンテンションベースのプリアンブルが受信されない場合、受信したコンテンションベースのプリアンブルに応答せず、従来技術で説明したようなランダムアクセス応答の衝突を回避するようにする。したがって、非コンテンションベースのランダムアクセス手順を実行しているUEは、送信したプリアンブルが受信されていないことが分かり、新しいランダムアクセス手順を実行するための別の命令を待つ。同様に、コンテンションベースのランダムアクセス手順を実行しているUEは、ランダムアクセスが受信されないので、ランダムアクセス手順をもう一度繰り返す。
【００２５】
図１０を参照する。図１０は、例示的な処理１００のフローチャートを示す。処理１００は、UEにおいて、クロスキャリア・スケジューリングにおいてランダムアクセス応答を処理するために用いられる。処理１００は、プログラム・コード２１４にコンパイルでき、以下の段階を有する。
ステップ１０００：開始
ステップ１０１０：無線通信システムのネットワークにより、複数の搬送波成分のうちの１つのランダムアクセス・プリアンブルを割り当てられる。
ステップ１０２０：ランダムアクセス・プリアンブルをネットワークに送信する。
ステップ１０３０：T-CRNTIを含み及びランダムアクセス・プリアンブルに対応するランダムアクセス応答を、ネットワークから受信する。
ステップ１０４０：タイミングアドバンスコマンドを含むランダムアクセス応答がUEのためのものか否かを、ランダムアクセス応答内のT-CRNTIに従って決定する。
ステップ１０５０：終了
処理１００によると、ランダムアクセス応答を受信した後に、非コンテンションベースのランダムアクセス手順を実行しているUEは、受信したランダムアクセス応答内のT-CRNTIを調べ、受信したランダムアクセス応答が自身のためのものか否かを確かめる。ランダムアクセス応答のT-CRNTIがUE内のC-RNTI（Cell  Radio  Network  Temporary  Identifier）と一致する場合、UEは、受信したランダムアクセス応答が自身のためのものであると決定し、次に、アップリンク同期のために、ランダムアクセス応答のタイミングアドバンスコマンドを適用する。その他の場合、UEは、ランダムアクセス応答のタイミングアドバンスコマンドを適用せず、受信したランダムアクセス応答は他者のためのものであると見なす。
【００２６】
処理１００に基づく例を検討する。図１１を参照する。図１１は、本発明の実施形態による非コンテンションベースのランダムアクセス手順の概略ブロック図を示す。ネットワークは、ランダムアクセス・プリアンブルをそれぞれUE１及びUE２に搬送波成分cc#１を通じて割り当てる。言い換えると、ネットワークは、クロスキャリア・スケジューリングにより、ランダムアクセス・プリアンブルをUE２に割り当てる。UE１は、搬送波成分cc#１を介してランダムアクセス・プリアンブルをネットワークに送信する。また、UE２は、搬送波成分cc#２を介してランダムアクセス・プリアンブルをネットワークに送信する。上述のように、ネットワークは、同一のランダムアクセス・プリアンブルをUE１及びUE２に割り当ててもよい。したがって、それらは、プリアンブルを同時に送信してもよい。この状況では、ネットワークは、搬送波成分cc#１でUE２からのランダムアクセス・プリアンブルに応答する。UE１及びUE２がランダムアクセス応答を搬送波成分cc#１で受信しデコードした後に、UE１及びUE２は、それぞれ、ランダムアクセス応答が自身のためのものか否かを知るために、ランダムアクセス応答内のT-CRNTIを調べる。理解されるように、非コンテンションベースのランダムアクセス手順を実行しているUEがランダムアクセス応答を受信したとき、UEは、直ちにタイミングアドバンスコマンドを適用せずに、ランダムアクセス応答のT-CRNTIを調べ、不適切なタイミングアドバンスコマンドを適用するのを回避するようにする。
【００２７】
別の例を次に示す。PCellのコンテンションベースのプリアンブルは、ネットワークにより受信されるが、SCellの非コンテンションベースのプリアンブルは、ネットワークにより受信されない。ネットワークは、非コンテンションベースのプリアンブルが受信されないので、コンテンションベースのプリアンブルに、PCellにおいてT-CRNTIを含むランダムアクセス応答で応答する。割り当てられたT-CRNTIは、非コンテンションベースのランダムアクセス手順を実行しているUEのために用いられたC-RNTIと同一であってはならない。処理１００の概念に基づくと、非コンテンションベースのランダムアクセス手順を実行しているUEは、ランダムアクセス応答を受信した後に、ランダムアクセス応答が自身のためのものか否かを知るために、ランダムアクセス応答内のT-CRNTIを調べる。この場合、非コンテンションベースのランダムアクセス手順を実行しているUEは、T-CRNTIが自身のためのものではないことが分かるので、ランダムアクセス応答が非コンテンションベースのランダムアクセス手順のためのものではないと決定する。したがって、UEは、新しい非コンテンションベースのランダムアクセス手順を実行するための別の命令を待つ。代替として、コンテンションベースのランダムアクセス手順を実行しているUEは、応答を受信するのに伴い、以下のコンテンション解決を実行してもよい。
【００２８】
図１２を参照する。図１２は、例示的な処理１２０のフローチャートを示す。処理１２０は、UEにおいて、クロスキャリア・スケジューリングにおいてランダムアクセス応答を処理するために用いられる。処理１２０は、プログラム・コード２１４にコンパイルでき、以下の段階を有する。
ステップ１２００：開始
ステップ１２１０：コンテンションベースのランダムアクセス手順のランダムアクセス・プリアンブルを、無線通信システムのネットワークに送信する。
ステップ１２２０：インジケータを含むランダムアクセス応答をネットワークから受信する。
ステップ１２３０：受信したランダムアクセス応答がコンテンションベースのランダムアクセス手順のためのものか否かを、ランダムアクセス応答内のインジケータに従って決定する。
ステップ１２４０：終了
処理１２０によると、インジケータは、コンテンションベースのランダムアクセス手順を実行しているUEが、受信したランダムアクセス応答がコンテンションベースのランダムアクセス手順のためのものか否かを決定するために、ランダムアクセス応答内に定められる。例えば、インジケータが、ランダムアクセス応答は非コンテンションベースのランダムアクセス手順のためのものであると示す場合、UEは、受信したランダムアクセス応答は他者のためのものであると決定し、ランダムアクセス応答のタイミングアドバンスコマンドを適用しない。他方で、インジケータが、ランダムアクセス応答は非コンテンションベースのランダムアクセス手順のためのものではないと示す場合、UEは、受信したランダムアクセス応答は自身のためのものであると決定し、ランダムアクセス応答のタイミングアドバンスコマンドを適用する。留意すべき点は、ランダムアクセス応答が自身のためのものではないと決定した後に、UEは、コンテンションベースのランダムアクセス手順でのコンテンション解決動作を中断し、新しいランダムアクセス・プリアングルを送信して、メッセージ３の送信の干渉とリソースの浪費を回避するようにする。
【００２９】
処理１２０の概念に基づく例を検討する。図１３−１４を参照する。図１３−１４は、本発明の実施形態による、クロスキャリア・スケジューリングを伴う非コンテンションベースのランダムアクセス手順と、コンテンションベースのランダムアクセス手順と、の概略ブロック図を示す。ランダムアクセス応答RARがPCellで受信された後に、コンテンションベースのランダムアクセス手順を実行しているUEは、インジケータが所定値に設定さているか否かを調べる。インジケータは、１ビットの値により表すことができ、ネットワークにより設定される。例えば、インジケータが「０」を示すとき、ランダムアクセス応答RARはコンテンションベースのランダムアクセス手順のためのものであり、一方、インジケータが「１」を示すとき、ランダムアクセス応答RARは非コンテンションベースのランダムアクセス手順のためのものである。したがって、UEがランダムアクセス応答RARを受信すると、UEはタイミングアドバンスコマンドを直ちに適用せず、先ずランダムアクセス応答のインジケータを調べる。インジケータが「０」に設定されている場合、UEは、ランダムアクセス応答RARのタイミングアドバンスコマンドを適用し、コンテンションベースのランダムアクセス手順のコンテンション解決動作（つまり、メッセージ３の送信）を継続する。他方で、インジケータが「１」に設定されている場合、UEは、タイミングアドバンスコマンドを適用せず、コンテンションベースのランダムアクセス手順のコンテンション解決動作を停止する。
【００３０】
留意すべき点は、図１３−１４で、ランダムアクセス応答RARは非コンテンションベースのランダムアクセス手順のためのものであり、したがって、ネットワークはインジケータを「１」に設定する。したがって、UEは、ランダムアクセス応答RARが自身のためのものではないことが分かり、次に新しいランダムアクセス・プリアングルを送信して、リソースの浪費及びアップリンクの同期動作の遅延を回避する。
【００３１】
図１５を参照する。図１５は、例示的な処理１５０のフローチャートを示す。処理１５０は、UEにおいて、クロスキャリア・スケジューリングにおいてランダムアクセス応答を処理するために用いられる。処理１５０は、プログラム・コード２１４にコンパイルでき、以下の段階を有する。
ステップ１５００：開始
ステップ１５１０：コンテンションベースのランダムアクセス手順のランダムアクセス・プリアンブルを、無線通信システムのネットワークに送信する。
ステップ１５２０：アップリンクグラント（uplink  grant）を含むランダムアクセス応答をネットワークから受信する。
ステップ１５３０：受信したランダムアクセス応答がコンテンションベースのランダムアクセス手順のためのものか否かを、アップリンクグラントのサイズに従って決定する。
ステップ１５４０：終了
処理１５０によると、コンテンションベースのランダムアクセス手順を実行しているUEは、受信したランダムアクセス応答がコンテンションベースのランダムアクセス手順のためのものか否かを、ランダムアクセス応答内のアップリンクグラントのサイズに従って決定する。例えば、アップリンクグラントのサイズが閾より小さい場合、UEは、受信したランダムアクセス応答は非コンテンションベースのランダムアクセス手順のためのものであると決定し、ランダムアクセス応答のタイミングアドバンスコマンドを適用しない。その他の場合、UEは、受信したランダムアクセス応答はコンテンションベースのランダムアクセス手順のためのものであると決定し、ランダムアクセス応答のタイミングアドバンスコマンドを適用する。留意すべき点は、ランダムアクセス応答が自身のためのものではないと決定した後に、UEは、コンテンションベースのランダムアクセス手順でのコンテンション解決動作を中断し、新しいランダムアクセス・プリアングルを送信して、メッセージ３の送信の干渉とリソースの浪費を回避するようにする。
【００３２】
処理１５０の概念に基づく例を検討する。再び図１３−１４を参照する。図１３−１４では、ランダムアクセス応答RARがPCellで受信された後に、コンテンションベースのランダムアクセス手順を実行しているUEは、アップリンクグラントのサイズが閾より小さいか否かを調べる。閾は、メッセージ３を送信するためのリソースのサイズに従って決定されてもよい。例えば、ランダムアクセス応答内のアップリンクグラントのサイズがメッセージ３のサイズより小さい場合、UEは、メッセージ３のために十分なリソースを使うことができないので、ランダムアクセス応答RARが自身のためのものではないと決定し、コンテンションベースのランダムアクセス手順のコンテンション解決動作を停止する。他方で、ランダムアクセス応答内のアップリンクグラントのサイズがメッセージ３のサイズより大きい場合、UEは、メッセージ３のために十分なリソースを使うことができるので、ランダムアクセス応答RARが自身のためのものであると決定し、コンテンションベースのランダムアクセス手順のコンテンション解決動作を継続する。
【００３３】
留意すべき点は、図１３−１４で、ランダムアクセス応答RARは非コンテンションベースのランダムアクセス手順のためのものであり、したがって、ネットワークは、ランダムアクセス応答内でＵＬに許可するリソースに不十分なリソースしか割り当てない。したがって、UEは、ランダムアクセス応答RARが自身のためのものではないことが分かり、次に新しいランダムアクセス・プリアングルを送信して、リソースの浪費及びアップリンクの同期動作の遅延を回避する。
【００３４】
図１６を参照する。図１６は、例示的な処理１６０のフローチャートを示す。処理１６０は、UEにおいて、クロスキャリア・スケジューリングにおいてランダムアクセス応答を処理するために用いられる。処理１６０は、プログラム・コード２１４にコンパイルでき、以下の段階を有する。
ステップ１６００：開始
ステップ１６１０：コンテンションベースのランダムアクセス手順のランダムアクセス・プリアンブルを、無線通信システムのネットワークに送信する。
ステップ１６２０：T-CRNTIを含むランダムアクセス応答をネットワークから受信する。
ステップ１６３０：受信したランダムアクセス応答がコンテンションベースのランダムアクセス手順のためのものか否かを、temporary-CRNTIの有効性に従って決定する。
ステップ１６４０：終了
処理１６０によると、コンテンションベースのランダムアクセス手順を実行しているUEは、受信したランダムアクセス応答がコンテンションベースのランダムアクセス手順のためのものか否かを、temporary-CRNTIの有効性に従って決定する。例えば、T-CRNTIが無効である場合、UEは、受信したランダムアクセス応答は非コンテンションベースのランダムアクセス手順のためのものであると決定し、ランダムアクセス応答のタイミングアドバンスコマンドを適用しない。その他の場合、UEは、受信したランダムアクセス応答はコンテンションベースのランダムアクセス手順のためのものであると決定し、ランダムアクセス応答のタイミングアドバンスコマンドを適用する。留意すべき点は、ランダムアクセス応答がコンテンションベースのランダムアクセス手順のためのものではないと決定した後に、UEは、コンテンションベースのランダムアクセス手順でのコンテンション解決動作を中断し、新しいランダムアクセス・プリアングルを送信して、メッセージ３の送信の干渉とリソースの浪費を回避するようにする。
【００３５】
処理１６０の概念に基づく例を検討する。再び図１３−１４を参照する。図１３−１４では、ランダムアクセス応答RARがPCellで受信された後に、コンテンションベースのランダムアクセス手順を実行しているUEは、ランダムアクセス応答内のT-CRNTIの有効性を調べる。例えば、T-CRNTIが「００００」又は「ＦＦＦ４−ＦＦＦＣ」（つまり、予約）に設定されている場合、UEは、受信したランダムアクセス応答はコンテンションベースのランダムアクセス手順のためのものではないと決定し、コンテンションベースのランダムアクセス手順のコンテンション解決動作を停止する。他方で、T-CRNTIが有効な場合、UEは、ランダムアクセス応答はコンテンションベースのランダムアクセス手順のためのものではあると決定し、コンテンションベースのランダムアクセス手順のコンテンション解決動作を継続する。
【００３６】
留意すべき点は、図１３−１４で、ランダムアクセス応答RARは非コンテンションベースのランダムアクセス手順のためのものであり、したがって、ネットワークは、ランダムアクセス応答内でT-CRNTIを無効（つまり、「００００」又は「ＦＦＦ４−ＦＦＦＣ」）に設定する。したがって、UEは、ランダムアクセス応答RARが自身のためのものではないことが分かり、次に新しいランダムアクセス・プリアングルを送信して、リソースの浪費及びアップリンクの同期動作の遅延を回避する。
【００３７】
纏めると、本発明は、クロスキャリア・スケジューリングにおいてランダムアクセス応答を処理する方法及び装置を提供し、干渉及びリソースの浪費を回避するようにする。
【符号の説明】
【００３８】
２００  処理手段
２１０  記憶ユニット
２１４  プログラム・コード
２２０  通信インタフェース・ユニット
３００  ＲＲＣ層
３１０  ＰＤＣＰ層
３２０  ＲＬＣ層
３３０  MAC層
３４０  物理層
【図１】
2013027045.tif 000003
【図２】
2013027045.tif 000004
【図３】
2013027045.tif 000005
【図４】
2013027045.tif 000006
【図５】
2013027045.tif 000007
【図６】
2013027045.tif 000008
【図７】
2013027045.tif 000009
【図８】
2013027045.tif 000010
【図９】
2013027045.tif 000011
【図１０】
2013027045.tif 000012
【図１１】
2013027045.tif 000013
【図１２】
2013027045.tif 000014
【図１３】
2013027045.tif 000015
【図１４】
2013027045.tif 000016
【図１５】
2013027045.tif 000017
【図１６】
2013027045.tif 000018